【手続補正書】
【提出日】平成18年2月16日(2006.2.16)
【手続補正１】
【補正対象書類名】特許請求の範囲
【補正対象項目名】全文
【補正方法】変更
【補正の内容】
【特許請求の範囲】
【請求項１】
テンプレートに含まれるスクリプトにしたがって、前記スクリプトから参照される第１データを再生するスクリプト実行手段と、
前記第１データのうち、ユーザが変更可能な部分を判別するユーザ変更可能データ判別手段と、
前記変更可能な部分を変更して第２データを生成するデータ変更手段と、
前記スクリプトと前記第２データとの少なくとも一方を出力するスクリプト・データ出力手段とを備える、マルチメディアデータ処理装置。
【請求項２】
テンプレートに含まれるスクリプトにしたがって、前記スクリプトから参照される第１データを再生するスクリプト実行手段と、
前記テンプレートに含まれるスクリプトにしたがって、当該マルチメディアデータ処理装置の機能を選択する機能選択手段と、
前記テンプレートに含まれるスクリプトにしたがって、前記選択された機能を用いて、前記第１データに対してどのような処理を行なうかを決定するアクション決定手段と、
前記決定された処理を実行して第２データを生成するアクション実行手段と、
前記スクリプトと前記第２データとの少なくとも一方を出力するスクリプト・データ出力手段とを備える、マルチメディアデータ処理装置。
【請求項３】
前記アクション決定手段は、前記選択された機能を用いて、静止画像データと、動画像データと、音声データと、ＧＰＳ（Global Positioning System）などにより取得される位置情報データとのいずれかのデータを含むデータを取得し、前記取得したデータを用いて前記第１データに対してどのような処理を行なうかを決定する、請求項２に記載のマルチメディアデータ処理装置。
【請求項４】
前記アクション実行手段は、前記選択された機能を用いてデータを取得して、前記選択された機能の仕様と状態と前記テンプレートと前記選択された機能を用いて取得されたデータとのいずれかを含む環境情報に応じて、前記取得されたデータに変換処理を行なうことを特徴とし、
前記環境情報に応じた変換処理は、メモリ容量の制限に応じたデータ量の削減と、表示デバイスまたは前記マルチメディアデータの解析結果に応じた画面サイズの変換、減色、あるいはデータ形式の整合とを含む、請求項２に記載のマルチメディアデータ処理装置。
【請求項５】
前記機能選択手段は、前記テンプレートに含まれるスクリプトにしたがい、時系列に沿って当該マルチメディアデータ処理装置の機能を選択する、請求項２に記載のマルチメディアデータ処理装置。
【請求項６】
前記テンプレートにはメディアデータ再生状態の遷移情報が記載されており、前記スクリプト実行手段は、前記メディアデータ再生状態の遷移を管理する、請求項１〜５のいずれかに記載のマルチメディアデータ処理装置。
【請求項７】
前記スクリプトを含むテンプレートを取得するテンプレート取得手段と、
前記取得されたテンプレートから所望のテンプレートを選択する選択手段と、
前記第２データを確定するデータ確定手段とをさらに備える、請求項１〜６のいずれかに記載のマルチメディアデータ処理装置。
【請求項８】
スクリプト・データ出力手段は、前記テンプレートに含まれるスクリプトと前記第１データとの少なくとも一方の一部を削除して出力する、請求項１〜７のいずれかに記載のマルチメディアデータ処理装置。
【請求項９】
前記スクリプト・データ出力手段は、当該マルチメディアデータ処理装置内部の記憶装置に前記スクリプトと前記第１データとの少なくとも一方を出力する、請求項１〜８のいずれかに記載のマルチメディアデータ処理装置。
【請求項１０】
前記スクリプト・データ出力手段は、ネットワークを介して他の装置に前記スクリプトと前記第２データとの少なくとも一方を出力する、請求項１〜８のいずれかに記載のマルチメディアデータ処理装置。
【請求項１１】
前記スクリプト・データ出力手段は、ＭＭＳ（Multimedia Messaging Service）を用いて前記他の装置に前記スクリプトと前記第２データとの少なくとも一方を出力する、請求項１０に記載のマルチメディアデータ処理装置。
【請求項１２】
前記スクリプトに記述されたシーケンスを管理するシーケンス管理手段と、
前記シーケンスに対応してデータ変更を行なうための操作ガイドを提示する操作ガイド提示手段とをさらに備える、請求項１に記載のマルチメディアデータ処理装置。
【請求項１３】
スクリプトを含んで構成されるテンプレートの処理をコンピュータに実行させるプログラムであって、
前記テンプレートに含まれるスクリプトにしたがって、前記スクリプトから参照されるデータを再生するスクリプト実行ステップと、
前記スクリプトから参照されるデータのうち、ユーザが変更可能な部分を判別するユーザ変更可能データ判別ステップと、
前記変更可能な部分をマルチメディアデータ処理装置の機能を用いて変更するデータ変更ステップと、
前記スクリプトと前記変更されたデータとの少なくとも一方を出力するスクリプト・データ出力ステップとを実行させる、マルチメディアデータ処理プログラム。
【請求項１４】
スクリプトを含んで構成されるテンプレートの処理をコンピュータに実行させるプログラムであって、
前記テンプレートに含まれるスクリプトにしたがって、前記スクリプトから参照されるデータを再生するスクリプト実行ステップと、
前記テンプレートに含まれるスクリプトにしたがって、マルチメディアデータ処理装置の機能を選択する端末機能選択ステップと、
前記選択された機能を用いて、前記スクリプトから参照されるデータに対してどのような処理を行なうかを決定するアクション決定ステップと、
前記決定された処理を実行するアクション実行ステップと、
前記スクリプトと前記決定された処理が実行されたデータとの少なくとも一方を出力するスクリプト・データ出力ステップとを実行させる、マルチメディアデータ処理プログラム。
【手続補正２】
【補正対象書類名】明細書
【補正対象項目名】発明の名称
【補正方法】変更
【補正の内容】
【発明の名称】マルチメディアデータ処理装置およびマルチメディアデータ処理プログラム
【手続補正３】
【補正対象書類名】明細書
【補正対象項目名】０００１
【補正方法】変更
【補正の内容】
【０００１】
この発明はマルチメディアデータ処理装置およびマルチメディアデータ処理プログラムに関し、特に、容易にマルチメディアコンテンツを作成できるマルチメディアデータ処理装置およびマルチメディアデータ処理プログラムに関する。
【手続補正４】
【補正対象書類名】明細書
【補正対象項目名】００１３
【補正方法】変更
【補正の内容】
【００１３】
本発明はこのような問題に鑑みてなされたものであって、容易にマルチメディアコンテンツを作成できるマルチメディアデータ処理装置およびマルチメディアデータ処理プログラムを提供することを第１の目的とし、さらに、相手に所望のマルチメディアコンテンツの作成・編集操作を確実に行なわせることのできるマルチメディアデータ処理装置およびマルチメディアデータ処理プログラムを提供することを第２の目的とする。
【手続補正５】
【補正対象書類名】明細書
【補正対象項目名】００１４
【補正方法】変更
【補正の内容】
【００１４】
上記目的を達成するために、本発明のある局面に従うと、マルチメディアデータ処理装置は、テンプレートに含まれるスクリプトにしたがって、スクリプトから参照される第１データを再生するスクリプト実行手段と、第１データのうち、ユーザが変更可能な部分を判別するユーザ変更可能データ判別手段と、変更可能な部分を変更して第２データを生成するデータ変更手段と、スクリプトと第２データとの少なくとも一方を出力するスクリプト・データ出力手段とを備える。
【手続補正６】
【補正対象書類名】明細書
【補正対象項目名】００１５
【補正方法】変更
【補正の内容】
【００１５】
本発明の他の局面に従うと、マルチメディアデータ処理装置は、テンプレートに含まれるスクリプトにしたがって、スクリプトから参照される第１データを再生するスクリプト実行手段と、テンプレートに含まれるスクリプトにしたがって、当該マルチメディアデータ処理装置の機能を選択する機能選択手段と、テンプレートに含まれるスクリプトにしたがって、選択された機能を用いて、第１データに対してどのような処理を行なうかを決定するアクション決定手段と、決定された処理を実行して第２データを生成するアクション実行手段と、スクリプトと上記第２データとの少なくとも一方を出力するスクリプト・データ出力手段とを備える。
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】変更
【補正の内容】
【００１７】
また、アクション決定手段は、選択された機能を用いて、静止画像データと、動画像データと、音声データと、ＧＰＳ（Global Positioning System）などにより取得される位置情報データとのいずれかのデータを含むデータを取得し、取得したデータを用いて第１データに対してどのような処理を行なうかを決定することが好ましい。
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】削除
【補正の内容】
【手続補正１２】
【補正対象書類名】明細書
【補正対象項目名】００２２
【補正方法】変更
【補正の内容】
【００２２】
または、機能選択手段は、テンプレートに含まれるスクリプトにしたがい、時系列に沿って当該マルチメディアデータ処理装置の機能を選択することが好ましい。
【手続補正１３】
【補正対象書類名】明細書
【補正対象項目名】００２３
【補正方法】削除
【補正の内容】
【手続補正１４】
【補正対象書類名】明細書
【補正対象項目名】００２４
【補正方法】削除
【補正の内容】
【手続補正１５】
【補正対象書類名】明細書
【補正対象項目名】００２６
【補正方法】削除
【補正の内容】
【手続補正１６】
【補正対象書類名】明細書
【補正対象項目名】００２７
【補正方法】削除
【補正の内容】
【手続補正１７】
【補正対象書類名】明細書
【補正対象項目名】００２８
【補正方法】削除
【補正の内容】
【手続補正１８】
【補正対象書類名】明細書
【補正対象項目名】００２９
【補正方法】削除
【補正の内容】
【手続補正１９】
【補正対象書類名】明細書
【補正対象項目名】００３０
【補正方法】変更
【補正の内容】
【００３０】
また、マルチメディアデータ処理装置は、スクリプトを含むテンプレートを取得するテンプレート取得手段と、取得されたテンプレートから所望のテンプレートを選択する選択手段と、第２データを確定するデータ確定手段とをさらに備えることが好ましい。
【手続補正２０】
【補正対象書類名】明細書
【補正対象項目名】００３１
【補正方法】削除
【補正の内容】
【手続補正２１】
【補正対象書類名】明細書
【補正対象項目名】００３２
【補正方法】削除
【補正の内容】
【手続補正２２】
【補正対象書類名】明細書
【補正対象項目名】００３３
【補正方法】削除
【補正の内容】
【手続補正２３】
【補正対象書類名】明細書
【補正対象項目名】００３４
【補正方法】削除
【補正の内容】
【手続補正２４】
【補正対象書類名】明細書
【補正対象項目名】００３５
【補正方法】削除
【補正の内容】
【手続補正２５】
【補正対象書類名】明細書
【補正対象項目名】００３７
【補正方法】削除
【補正の内容】
【手続補正２６】
【補正対象書類名】明細書
【補正対象項目名】００３８
【補正方法】削除
【補正の内容】
【手続補正２７】
【補正対象書類名】明細書
【補正対象項目名】００３９
【補正方法】削除
【補正の内容】
【手続補正２８】
【補正対象書類名】明細書
【補正対象項目名】００４０
【補正方法】削除
【補正の内容】
【手続補正２９】
【補正対象書類名】明細書
【補正対象項目名】００４１
【補正方法】削除
【補正の内容】
【手続補正３０】
【補正対象書類名】明細書
【補正対象項目名】００４２
【補正方法】削除
【補正の内容】
【手続補正３１】
【補正対象書類名】明細書
【補正対象項目名】００４３
【補正方法】変更
【補正の内容】
【００４３】
また、スクリプト・データ出力手段は、テンプレートに含まれるスクリプトと第１データとの少なくとも一方の一部を削除して出力することが好ましい。
【手続補正３２】
【補正対象書類名】明細書
【補正対象項目名】００４４
【補正方法】削除
【補正の内容】
【手続補正３３】
【補正対象書類名】明細書
【補正対象項目名】００４５
【補正方法】変更
【補正の内容】
【００４５】
また、スクリプト・データ出力手段は、当該マルチメディアデータ処理装置内部の記憶装置にスクリプトと第１データとの少なくとも一方を出力することが好ましい。
【手続補正３４】
【補正対象書類名】明細書
【補正対象項目名】００４６
【補正方法】変更
【補正の内容】
【００４６】
また、スクリプト・データ出力手段は、ネットワークを介して他の装置にスクリプトと第２データとの少なくとも一方を出力することが好ましい。
【手続補正３５】
【補正対象書類名】明細書
【補正対象項目名】００４７
【補正方法】削除
【補正の内容】
【手続補正３６】
【補正対象書類名】明細書
【補正対象項目名】００４８
【補正方法】変更
【補正の内容】
【００４８】
または、スクリプト・データ出力手段は、ＭＭＳ（Multimedia Messaging Service）を用いて他の装置にスクリプトと第２データとの少なくとも一方を出力することがより好ましい。
【手続補正３７】
【補正対象書類名】明細書
【補正対象項目名】００４９
【補正方法】削除
【補正の内容】
【手続補正３８】
【補正対象書類名】明細書
【補正対象項目名】００５０
【補正方法】削除
【補正の内容】
【手続補正３９】
【補正対象書類名】明細書
【補正対象項目名】００５１
【補正方法】削除
【補正の内容】
【手続補正４０】
【補正対象書類名】明細書
【補正対象項目名】００５２
【補正方法】削除
【補正の内容】
【手続補正４１】
【補正対象書類名】明細書
【補正対象項目名】００５３
【補正方法】削除
【補正の内容】
【手続補正４２】
【補正対象書類名】明細書
【補正対象項目名】００５４
【補正方法】削除
【補正の内容】
【手続補正４３】
【補正対象書類名】明細書
【補正対象項目名】００５５
【補正方法】削除
【補正の内容】
【手続補正４４】
【補正対象書類名】明細書
【補正対象項目名】００５６
【補正方法】削除
【補正の内容】
【手続補正４５】
【補正対象書類名】明細書
【補正対象項目名】００５９
【補正方法】削除
【補正の内容】
【手続補正４６】
【補正対象書類名】明細書
【補正対象項目名】００６０
【補正方法】削除
【補正の内容】
【手続補正４７】
【補正対象書類名】明細書
【補正対象項目名】００６１
【補正方法】削除
【補正の内容】
【手続補正４８】
【補正対象書類名】明細書
【補正対象項目名】００６２
【補正方法】削除
【補正の内容】
【手続補正４９】
【補正対象書類名】明細書
【補正対象項目名】００６３
【補正方法】削除
【補正の内容】
【手続補正５０】
【補正対象書類名】明細書
【補正対象項目名】００６４
【補正方法】削除
【補正の内容】
【手続補正５１】
【補正対象書類名】明細書
【補正対象項目名】００６５
【補正方法】削除
【補正の内容】
【手続補正５２】
【補正対象書類名】明細書
【補正対象項目名】００６６
【補正方法】削除
【補正の内容】
【手続補正５３】
【補正対象書類名】明細書
【補正対象項目名】００６７
【補正方法】削除
【補正の内容】
【手続補正５４】
【補正対象書類名】明細書
【補正対象項目名】００６８
【補正方法】削除
【補正の内容】
【手続補正５５】
【補正対象書類名】明細書
【補正対象項目名】００６９
【補正方法】削除
【補正の内容】
【手続補正５６】
【補正対象書類名】明細書
【補正対象項目名】００７０
【補正方法】削除
【補正の内容】
【手続補正５７】
【補正対象書類名】明細書
【補正対象項目名】００７１
【補正方法】削除
【補正の内容】
【手続補正５８】
【補正対象書類名】明細書
【補正対象項目名】００７２
【補正方法】削除
【補正の内容】
【手続補正５９】
【補正対象書類名】明細書
【補正対象項目名】００７３
【補正方法】削除
【補正の内容】
【手続補正６０】
【補正対象書類名】明細書
【補正対象項目名】００７４
【補正方法】削除
【補正の内容】
【手続補正６１】
【補正対象書類名】明細書
【補正対象項目名】００７５
【補正方法】削除
【補正の内容】
【手続補正６２】
【補正対象書類名】明細書
【補正対象項目名】００７６
【補正方法】削除
【補正の内容】
【手続補正６３】
【補正対象書類名】明細書
【補正対象項目名】００７７
【補正方法】削除
【補正の内容】
【手続補正６４】
【補正対象書類名】明細書
【補正対象項目名】００７８
【補正方法】削除
【補正の内容】
【手続補正６５】
【補正対象書類名】明細書
【補正対象項目名】００７９
【補正方法】削除
【補正の内容】
【手続補正６６】
【補正対象書類名】明細書
【補正対象項目名】０１７６
【補正方法】変更
【補正の内容】
【０１７６】
ステップＳ２４０８で送信されるスクリプトの具体例を図８３に示す。図８３に示されるスクリプトは、図６および図７に示される初期状態のスクリプトに対して画像データ、テキストデータ、および音声データであるメディアデータを追加する書換処理を施したスクリプトであって、より具体的には、図８３に下線を付して示された箇所が該書換処理によって挿入されたメディアデータの参照情報である。